(57)【要約】【課題】フレアを除去して高品質の眼底画像を取得することが可能な眼科撮影装置を提供する。【解決手段】１回のシャッタ操作で撮影絞り２８を左側に切り替えて眼底画像１００を取得し、続いて撮影絞り２８を右に切り替え眼底画像１１０を取得する。各取得した被検眼画像に混入しているフレアＦ１、Ｆ２が除去され、各画像間に存在する同一被検眼部位がほぼ重なり合うように、画像処理される。このような構成では、フレアの混入した小瞳孔径の被検眼眼底の画像でも、フレアのない眼底画像を生成することができる。また、２枚の眼底画像は、１回のシャッタ操作で取得できるので、眼底画像を取得する操作が簡単になる。【選択図】図６
2009285108.tif 000002
【特許請求の範囲】
【請求項１】
被検眼を撮影絞りを介して電子画像として撮影する撮像手段と、
撮影された被検眼画像を画像処理する画像処理部と、
撮影絞りを切り替え、異なる位置にある撮影絞りを選択する選択手段と、を備え、
１回のシャッタ操作で異なる位置にあるそれぞれの撮影絞りを介して被検眼を順次撮影することにより複数枚の被検眼画像を取得し、
該取得した各被検眼画像を、各画像間に存在する同一被検眼部位が重なり合うように、画像処理することを特徴とする眼科撮影装置。
【請求項２】
第１と第２の撮影モードを有する眼科撮影装置であって、
被検眼を撮影絞りを介して電子画像として撮影する撮像手段と、
撮影された被検眼画像を画像処理する画像処理部と、
撮影絞りを切り替え、異なる位置にある撮影絞りを選択する選択手段と、を備え、
第１の撮影モードが選択されたときは、１回のシャッタ操作で第１の位置にある撮影絞りを介して被検眼を撮影することにより１枚の被検眼画像を取得し、第２の撮影モードが選択されたときは、第２と第３の位置にある撮影絞りを選択し、１回のシャッタ操作で、選択された一方の撮影絞りを介して、続いて他方の撮影絞りを介して被検眼を撮影することにより２枚の被検眼画像を取得し、
該取得した２枚の被検眼画像を、各画像間に存在する同一被検眼部位が重なり合うように、画像処理することを特徴とする眼科撮影装置。
【請求項３】
第１と、第２と、第３の撮影モードを有する眼科撮影装置であって、
被検眼を撮影絞りを介して電子画像として撮影する撮像手段と、
撮影された被検眼画像を画像処理する画像処理部と、
撮影絞りを切り替え、異なる位置にある撮影絞りを選択する選択手段と、を備え、
第１の撮影モードが選択されたときは、１回のシャッタ操作で第１の位置にある撮影絞りを介して被検眼を撮影することにより１枚の被検眼画像を取得し、第２又は第３の撮影モードが選択されたときは、第２と第３の位置にある撮影絞りを選択し、１回のシャッタ操作で、選択された一方の撮影絞りを介して、続いて他方の撮影絞りを介して被検眼を撮影することにより２枚の被検眼画像を取得し、
第２の撮影モードで取得した２枚の被検眼画像は、各画像間に存在する同一被検眼部位が重なり合うように、画像処理して表示され、
第３の撮影モードで取得した２枚の被検眼画像は、並べて表示されることを特徴とする眼科撮影装置。
【請求項４】
取得した各被検眼画像を、取得したときの撮影絞りの位置と関連付けて記録手段に記録することを特徴とする請求項１から３のいずれか１項に記載の眼科撮影装置。
【請求項５】
前記第１から第３の位置は、いずれも被検眼前眼部とほぼ共役な位置にあり、第１の位置は、その位置にある撮影絞りの中心が撮影光学系の光軸と一致する位置であり、第２と第３の位置は、前眼部共役位置で撮影光路を左右に分ける位置であることを特徴とする請求項２から４のいずれか１項に記載の眼科撮影装置。
【請求項６】
画像の重ね合わせを行った被検眼画像に所定のマーキングを施すことを特徴とする請求項１から５のいずれか１項に記載の眼科撮影装置。
【請求項７】
画像の重ね合わせは、撮影絞りの位置に応じて撮影画像内の一部の領域を予め設定しておき、該設定された領域内の画像を切り出して、切り出された各画像に存在する同一被検眼部位が重なり合うようにして行われることを特徴とする請求項１から６のいずれか１項に記載の眼科撮影装置。
【請求項８】
重なり合うように画像処理された被検眼画像を細分化し、細分化された各画像に対して重なり合っている画像のうち、色成分のばらつきが大きい画像を抽出して被検眼画像を生成することを特徴とする請求項１から６のいずれか１項に記載の眼科撮影装置。
【請求項９】
撮影モード又は撮影絞りの位置に応じて撮影光学系の光路長を補正することを特徴とする請求項２から８のいずれか１項に記載の眼科撮影装置。
【請求項１０】
前記記録手段は、第１の記録手段と第１の記録手段よりも低速な第２の記録手段とから構成され、第１の撮影モードかどうかに応じて第１の記録手段から第２の記録手段への画像の転送タイミングが異なることを特徴とする請求項４から９のいずれか１項に記載の眼科撮影装置。
【請求項１１】
撮影絞りの切り替えに連動して、照明光学系内の前眼部と略共役位置に設けられた照明絞りを切り替えることを特徴とする請求項１から１０のいずれか１項に記載の眼科撮影装置。
【請求項１２】
撮影絞りの切り替えに連動して、照明光学系内の黒点板を切り替えることを特徴とする請求項１から１１のいずれか１項に記載の眼科撮影装置。
【請求項１３】
撮影前の観察時には、対物レンズ光軸上に位置する撮影絞りが選択され、撮影時には、それぞれ撮影モードに応じて定まる位置にある撮影絞りが選択されることを特徴とする請求項１から１２のいずれか１項に記載の眼科撮影装置。
【請求項１４】
シャッタ操作前の撮影絞りの位置が、撮影モードと、観察時に使用している内部固視灯の位置によって決められることを特徴とする請求項１から１３のいずれか１項に記載の眼科撮影装置。
【請求項１５】
撮影する被検眼が右眼か左眼かを検知する検知手段を備え、シャッタ操作前の撮影絞りの位置が、撮影モードと、観察時に使用している内部固視灯の位置と、前記検知手段による検知結果とによって決められることを特徴とする請求項１４に記載の眼科撮影装置。
【請求項１６】
シャッタ操作直後の撮影絞りの位置が、アライメント観察時における撮影絞りの位置であることを特徴とした請求項１４又は１５に記載の眼科撮影装置。
【請求項１７】
フォーカス指標を被検眼に導く光学素子が、撮影絞りの切り替えと連動して光路に挿脱されることを特徴とする請求項１から１６のいずれか１項に記載の眼科撮影装置。
【請求項１８】
第２と第３の位置にある撮影絞りの間隔が調節可能であることを特徴とする請求項２から１７のいずれか１項に記載の眼科撮影装置。
【請求項１９】
第２と第３の位置にある撮影絞りの間隔が被検眼の瞳孔径に応じて調節されることを特徴とする請求項１８に記載の眼科撮影装置。
【請求項２０】
リング照明絞りを介して被検眼を照明する照明手段と、
被検眼を撮影絞りを介して電子画像として撮影する撮像手段と、
撮影された被検眼画像を画像処理する画像処理部と、
リング照明絞りの内部遮光部を異なる位置に切り替える切替手段と、を備え、
１回のシャッタ操作で前記遮光部の異なる位置で被検眼を順次照明し撮影絞りを介して撮影することにより複数枚の被検眼画像を取得し、
該取得した各被検眼画像を、各画像間に存在する同一被検眼部位が重なり合うように、画像処理することを特徴とする眼科撮影装置。
【請求項２１】
取得した各被検眼画像を、取得したときのリング照明絞りの内部遮光部の位置と関連付けて記録手段に記録することを特徴とする請求項２０に記載の眼科撮影装置。
【請求項２２】
画像の重ね合わせを行った被検眼画像に所定のマーキングを施すことを特徴とする請求項２０又は２１に記載の眼科撮影装置。
【請求項２３】
画像の重ね合わせは、リング照明絞りの内部遮光部の位置に応じて撮影画像内の一部の領域を予め設定しておき、該設定された領域内の画像を切り出して、切り出された各画像に存在する同一被検眼部位が重なり合うようにして行われることを特徴とする請求項２０から２２のいずれか１項に記載の眼科撮影装置。
【請求項２４】
重なり合うように画像処理された被検眼画像を細分化し、細分化された各画像に対して重なり合っている画像のうち、色成分のばらつきが大きい画像を抽出して被検眼画像を生成することを特徴とする請求項２０から２２のいずれか１項に記載の眼科撮影装置。
【発明の詳細な説明】
【技術分野】
【０００１】
本発明は、眼科撮影装置、更に詳細には、小瞳孔径の被検眼眼底を撮影する機能を備えた眼科撮影装置に関する。
【背景技術】
【０００２】
従来から、眼底カメラでは、単眼撮影だけでなく、被検眼の瞳孔と共役な位置に、左右２つの孔が形成された撮影絞り（２孔絞り）を配置し、同一被検眼に対し視差を持った立体視用の左右の画像を撮影するステレオ撮影機能が組み込まれており、種々の撮影モードでの眼底撮影が可能となっている。この種の眼底カメラでは、１回のシャッタ操作で、連続して、単眼撮影、ステレオ撮影が行われ操作性の向上が図られている（特許文献１）。
【０００３】
一方、瞳孔径が小さな小瞳孔径の被検眼眼底を撮影する小瞳孔撮影モードで眼底を撮影すると、周辺にフレアが入って信頼性のある眼底撮影が困難になるという問題がある。そのため、複数の光源を順次点灯して眼底を撮影し、撮影画像からフレアを分離してフレアを除去した眼底画像を得ることが行われている（特許文献２）。
【０００４】
また、眼底画像にフレアが混入するのを防止するために、撮影領域を分けてフレアの多い領域には、マスキングして撮影することが行われている（特許文献３）。
【０００５】
また、連続発光光源を用いて眼底を連続して撮影し、これらの画像を重ね合わせてノイズの少ない良好な眼底画像を得ることも行われている（特許文献４）。
【特許文献１】ＷＯ２００７／０１３３８３Ａ１
【特許文献２】特開２００５−２４５８９４号公報
【特許文献３】特開２００５−２６１５３３号公報
【特許文献４】特開平９−２５３０５２号公報
【発明の開示】
【発明が解決しようとする課題】
【０００６】
しかしながら、従来の眼底カメラでは、特に瞳孔径の小さな被検眼眼底を撮影するときに、フレアが多くなって、良質な眼底画像を得るのが困難になる、という問題があった。
【０００７】
本発明は、このような問題点を解決するためになされたもので、フレアを除去して高品質の眼底画像を取得することが可能な眼科撮影装置を提供することを課題とする。
【課題を解決するための手段】
【０００８】
本発明（請求項１）は、
被検眼を撮影絞りを介して電子画像として撮影する撮像手段と、
撮影された被検眼画像を画像処理する画像処理部と、
撮影絞りを切り替え、異なる位置にある撮影絞りを選択する選択手段と、を備え、
１回のシャッタ操作で異なる位置にあるそれぞれの撮影絞りを介して被検眼を順次撮影することにより複数枚の被検眼画像を取得し、
該取得した各被検眼画像を、各画像間に存在する同一被検眼部位が重なり合うように、画像処理することを特徴とする。
【０００９】
また、本発明（請求項２）は、
第１と第２の撮影モードを有する眼科撮影装置であって、
被検眼を撮影絞りを介して電子画像として撮影する撮像手段と、
撮影された被検眼画像を画像処理する画像処理部と、
撮影絞りを切り替え、異なる位置にある撮影絞りを選択する選択手段と、を備え、
第１の撮影モードが選択されたときは、１回のシャッタ操作で第１の位置にある撮影絞りを介して被検眼を撮影することにより１枚の被検眼画像を取得し、第２の撮影モードが選択されたときは、第２と第３の位置にある撮影絞りを選択し、１回のシャッタ操作で、選択された一方の撮影絞りを介して、続いて他方の撮影絞りを介して被検眼を撮影することにより２枚の被検眼画像を取得し、
該取得した２枚の被検眼画像を、各画像間に存在する同一被検眼部位が重なり合うように、画像処理することを特徴とする。
【００１０】
また、本発明（請求項３）は、
第１と、第２と、第３の撮影モードを有する眼科撮影装置であって、
被検眼を撮影絞りを介して電子画像として撮影する撮像手段と、
撮影された被検眼画像を画像処理する画像処理部と、
撮影絞りを切り替え、異なる位置にある撮影絞りを選択する選択手段と、を備え、
第１の撮影モードが選択されたときは、１回のシャッタ操作で第１の位置にある撮影絞りを介して被検眼を撮影することにより１枚の被検眼画像を取得し、第２又は第３の撮影モードが選択されたときは、第２と第３の位置にある撮影絞りを選択し、１回のシャッタ操作で、選択された一方の撮影絞りを介して、続いて他方の撮影絞りを介して被検眼を撮影することにより２枚の被検眼画像を取得し、
第２の撮影モードで取得した２枚の被検眼画像は、各画像間に存在する同一被検眼部位が重なり合うように、画像処理して表示され、
第３の撮影モードで取得した２枚の被検眼画像は、並べて表示されることを特徴とする。
【００１１】
また、本発明（請求項２０）は、
リング照明絞りを介して被検眼を照明する照明手段と、
被検眼を撮影絞りを介して電子画像として撮影する撮像手段と、
撮影された被検眼画像を画像処理する画像処理部と、
リング照明絞りの内部遮光部を異なる位置に切り替える切替手段と、を備え、
１回のシャッタ操作で前記遮光部の異なる位置で被検眼を順次照明し撮影絞りを介して撮影することにより複数枚の被検眼画像を取得し、
該取得した各被検眼画像を、各画像間に存在する同一被検眼部位が重なり合うように、画像処理することを特徴とする。
【発明の効果】
【００１２】
本発明では、複数枚（２枚）の被検眼画像を、各画像間に存在する同一被検眼部位が重なり合うように、画像処理するので、フレアのない眼底画像を簡単に生成することができる。また、複数枚の画像は、１回のシャッタ操作で取得できるので、眼底画像を取得する操作が簡単になる。
【発明を実施するための最良の形態】
【００１３】
以下、図面に示す実施例に基づいて本発明を詳細に説明する。
【実施例１】
【００１４】
図１において、本発明の眼科撮影装置は、眼底カメラ１０として構成されている。眼底カメラ１０には、赤外光並びに可視光の照明光を発光する観察ランプ１１が球面ミラー１２の曲率中心に配置され、観察ランプ１１並びに球面ミラー１２からの光は、光路に挿脱可能な可視光カット赤外光透過フィルタ１３、コンデンサーレンズ１４、ストロボ１５、コンデンサーレンズ１６を経て、全反射ミラー１７に入射する。
【００１５】
全反射ミラー１７で反射した照明光は、被検眼の前眼部Ｅｐ（瞳）とほぼ共役な位置に配置された照明絞り２０を経て黒点板７１並びにリレーレンズ２２を通過し、穴あき全反射ミラー２３で反射され、対物レンズ２４を経て被検眼Ｅの前眼部（瞳）Ｅｐに入射し、眼底Ｅｒを照明する。
【００１６】
照明光学系の光軸７０に配置された照明絞り２０は、図２（ａ）に示したように、中心に配置された円形の遮光部２０ａと透明なガラス板のリングスリット部２０ｂとその周辺の外部遮光部２０ｃからなるリング照明絞りである。
【００１７】
照明絞り２０は、瞳孔径が通常の大きさの被検眼眼底を撮影する単眼撮影モードのときに用いられ、瞳孔径の小さな小瞳孔径の被検眼の眼底を撮影する小瞳孔撮影モードのときには、照明絞り２０に代わり、照明絞り２１が照明光路に挿入される。照明絞り２１は、図２（ｂ）に示したように、中心に配置された円形の遮光部２１ａと透明なガラス板のリングスリット部２１ｂとその周辺の外部遮光部２１ｃからなっている。リングスリット部の外径Φ１と内径Φ２は、いずれも照明絞り２０のが照明絞り２１より大きくなっている。
【００１８】
黒点板７１は、対物レンズでの不要な反射光を遮光するもので、図３（ａ）に示したように透明なガラス板からなり、その中心に小さな円形状の黒点７１ａを有している。黒点板７１は、単眼撮影のときに用いられ、小瞳孔撮影モードのときは、黒点板７１に代わり、図３（ｂ）に示したような横長の楕円状の黒点７２ａを中心に有する透明なガラス板からなる黒点板７２が照明光路に挿入される。
【００１９】
照明絞り２０を通過した照明光で照明された眼底Ｅｒからの反射光は、対物レンズ２４、穴あき全反射ミラー２３の穴２３ａ、撮影絞り２８、合焦レンズ３５、結像レンズ３６、ハーフミラー３７、変倍レンズ３８ａを通過してリターンミラー３９に入射する。リターンミラー３９が図示の位置では、眼底からの反射光が赤外光に感度を有する眼底と共役な位置にあるＣＣＤ（撮像手段）４０に入射し、眼底がＣＣＤ４０により撮像される。また、リターンミラー３９が光路から離脱すると、眼底からの反射光が可視光に感度を有する眼底と共役な位置にあるＣＣＤ（撮像手段）４１に入射し、眼底がＣＣＤ４１により撮影される。
【００２０】
撮影絞り２８は、図４に示したように、中心部に円形の開口部２８ａを有する開口絞りで、一端がソレノイド２７の軸２７ａに固定されており、被検眼前眼部（瞳）とほぼ共役な位置に配置される。撮影絞り２８は、ソレノイド２７が作動されないときは、図４（ａ）に示す位置にあって、開口部２８ａの中心は観察撮影光軸２６と一致している。眼底観察、あるいは単眼撮影のときは、撮影絞り２８は、図４（ａ）の位置にある。
【００２１】
ソレノイド２７が作動されて軸２７ａが吸引されると、撮影絞り２８は、ガイド２９、２９’に沿って案内され、図４（ｂ）の位置に移動して左側の撮影光路位置に配置される。一方、ソレノイド２７が作動されて軸２７ａが押し出されると、撮影絞り２８は、図４（ｃ）の位置に移動して右側の撮影光路位置に配置される。小瞳孔撮影モードのときは、撮影光路を左右にずらして撮影が行われ、一回目の撮影のときは、撮影絞り２８は、図４（ｂ）に示した位置に、２回目の撮影のときは、図４（ｃ）に示した位置に移動される。
【００２２】
穴あき全反射ミラー２３は、中心部に楕円形の穴２３ａが形成された全反射ミラーであり、その穴２３ａは、それぞれ図４（ａ）、（ｂ）、（ｃ）の位置にある開口部２８ａを含むような大きさになっている。
【００２３】
観察、撮影光路には、後述するように、撮影絞り２８の開口部２８ａの撮影光軸２６からの偏芯によるピントずれを補正するためのピント補正レンズ４５が挿脱可能に配置される。
【００２４】
眼底カメラ１０には、フォーカス指標投影光学系が設けられ、赤外ＬＥＤからなるフォーカス指標用光源５０からの指標光は、レンズ５１、ミラー５２、レンズ５３を通過し、２つの反射プリズム３２により光路が２分されて、眼底Ｅｒに投影される。フォーカス指標の像は、眼底でピントがあう場合には、反射プリズム３２で反射したフォーカス指標の像が一点になるように、またピントがズレている場合には、分離するようになっているので、検者は、合焦レンズ３５の移動に応じてレンズ５３を移動させフォーカス指標の像を一致させることにより、眼底にピントを合わせることができる。
【００２５】
被検眼を眼底カメラに対して固視させるために、複数の固視灯５５ａ〜５５ｄからなる内部固視灯５５が設けられ、点灯された固視灯からの光は、ハーフミラー３７により反射されて対物レンズ２４を通過して眼底Ｅｒに投影されるので、患者はこの内部固視灯を固視することにより、眼底カメラに対して被検眼を所定の位置に保持させることができる。
【００２６】
眼底カメラ１０には、ＣＰＵなどからなる制御部６５が設けられ、この制御部６５は、ＣＰＵなどからなる制御演算部６０と接続されて互いに信号を交換するとともに、シャッタスイッチ６６が操作されたときに、リターンミラー３９を光路から離脱させるとともに、ストロボ１５を適量な光量で発光させる。また、制御部６５は、ピント補正レンズ４５、可視光カット赤外光透過フィルタ１３、変倍レンズ３８ａ、３８ｂの光路への挿脱を制御し、照明絞り２０、２１の切り替え、黒点板７１、７２の切り替え、照明絞り２８の移動を制御する。
【００２７】
制御演算部６０は、ＣＣＤ４０で撮像された眼底像の画像を処理したり、ＣＣＤ４１で撮像されメモリ６１あるいはハードディスク６４などの記録手段に記録された眼底画像を処理する画像処理部を有しており、画像処理された眼底画像をモニタ６２に出力することができる。
【００２８】
眼底カメラ１０には、通常瞳孔径の被検眼の眼底を撮影する撮影モード（以下、単眼撮影モード（第１の撮影モード）という）、瞳孔径の小さな小瞳孔径の被検眼の眼底を撮影する撮影モード（以下、小瞳孔単眼撮影モード（第２の撮影モード）という）などの撮影モードを選択できる撮影モード選択スイッチを設けた操作部（操作パネル）６９が設けられる。さらに、キーボード６７、マウス６８などの入力手段が設けられ、これらの入力手段を介して、種々のデータが制御演算部６０に入力される。
【００２９】
このような構成の眼底カメラで、単眼撮影モードが選択されると、照明絞り２０、黒点板７１が照明光軸７０に挿入され、撮影絞り２８は、図４（ａ）の位置にあり、ピント補正レンズ４５は光路から離脱される。照明絞り２０を介して赤外光で照明された眼底からの光は、穴あき全反射ミラー２３の穴２３ａ、撮影絞り２８の開口部２８ａを通過して、ＣＣＤ４０に結像され、その像がモニタ６２に表示されるので、検者は眼底画像を観察してアライメントを行い、またフォーカス指標光源５０を点灯して、眼底にピントを合わせることができる。
【００３０】
アライメント、フォーカス調整が終了すると、シャッタスイッチ６６が操作され、リターンミラー３９が光路から離脱され、ストロボ１５が発光する。ストロボ１５の発光により照明された眼底像は、ＣＣＤ４１により取得され、その取得したときの撮影絞り２８の位置などの撮影条件情報と関連させてメモリ６１及び／又はハードディスク６４に記録される。取得あるいは記録した眼底画像はモニタ６２に表示することができる。
【００３１】
一方、小瞳孔径の被検眼の場合には、小瞳孔単眼撮影モードが選択される。同一撮影画角で同一入射瞳径とした場合、リング照明絞りの遮光部の径が小さいほど、撮影可能な最小瞳孔径は、小さく有利となる。しかし、逆に、リング照明絞りの遮光部の径が小さいと、フレアと呼ばれるアーチファクトが撮影時に発生する。図５は、眼底像にフレアが発生するのを説明するもので、左側は通常瞳孔径（Φ４．０ｍｍ）の被検眼の場合、右側は小瞳孔径（Φ３．７ｍｍ）の被検眼の場合を示している。
【００３２】
照明絞り２０、２１と撮影絞り２８は、それぞれ被検眼の瞳とほぼ共役な位置で被検眼の光軸に中心を合わせて同軸に配置されるので、通常瞳孔径の被検眼の場合には、図５の左上に示したように、その瞳に照明絞り２０のリングスリット部２０ｂの共役像２０ｂ’と撮影絞り２８の開口部２８ａの共役像２８ａ’が形成される。一方、小瞳孔径の被検眼の場合には、右上に示したように、その瞳に照明絞り２１のリングスリット部２１ｂの共役像２１ｂ’と撮影絞り２８の開口部２８ａの共役像２８ａ’が形成される。照明絞りのリングスリット部の共役像２０ｂ’、２１ｂ’のところが照明光路となり、撮影絞り２８の開口部２８ａの共役像２８ａ’のところが撮影光路となる。小瞳孔照明用の照明絞り２１を選択した場合には、照明光路の有効部と撮影光路の有効部の間隔（幅）Ｗが、通常瞳孔照明用の照明絞り２０を選択した場合より小さいので、図５の右下に示したように、撮影された眼底像にフレアＦが混入してしまう。
【００３３】
そこで、本実施例では、小瞳孔単眼撮影モードが選択された場合には、照明絞り２０に代わり、照明絞り２１を、また黒点板７１に代えて黒点板７２をそれぞれ照明光学系の光路に挿入し、撮影絞り２８を図４（ｂ）と図４（ｃ）に示した位置に移動して眼底を２回に分けて撮影し、それぞれの位置で撮影された眼底像を合成してフレアのない眼底像を得るようにしている。
【００３４】
小瞳孔単眼撮影モードが選択されたときのアライメントとフォーカス操作は、撮影絞り２８を、図４（ａ）の位置にし、照明絞り２０、黒点板７１を照明光路に挿入して行っておく。
【００３５】
アライメント、フォーカス調整が終了すると、シャッタスイッチ６６が操作され、それに連動して撮影絞り２８が図４（ｂ）に示した位置に移動し、照明絞り２１、黒点板７２に切り替えられる。図６で左側の一番上に示したように、小瞳孔径の被検眼の瞳Ｅｐには、照明絞り２１のリングスリット部２１ｂの共役像２１ｂ’が形成され、撮影絞り２８の開口部２８ａの共役像２８ａ’が左寄りに形成される。
【００３６】
また、シャッタスイッチ６６が操作されると、それに連動してリターンミラー３９が光路から離脱され、ストロボ１５が発光する。ストロボ１５の発光により照明された眼底像は、図４（ｂ）に図示した撮影絞り２８を介してＣＣＤ４１により撮像され、一回目の撮影が行われる。この１回目の撮影により得られた眼底画像１００には、図６の２段目に示したようにフレアＦ１が混入している。このフレアＦ１が混入した眼底画像１００は、その画像を取得したときの撮影絞り２８の位置などの撮影条件情報と関連させてメモリ６１及び／又はハードディスク６４に記録される。
【００３７】
続いて、撮影絞り２８が図４（ｃ）に示した位置に移動し、ストロボ１５が発光して、２回目の眼底撮影が行われる。図６の右側に示したように、撮影絞り２８の移動により撮影絞り２８の開口部２８ａの共役像２８ａ’が移動し、２回目の撮影により得られた眼底画像には、左にフレアＦ２が混入した眼底画像１１０が取得される。この眼底画像１１０は、その画像を取得したときの撮影絞り２８の位置などの撮影条件情報と関連させてメモリ６１及び／又はハードディスク６４に記録される。
【００３８】
なお、撮影絞り２８を左右に移動させることにより、撮影絞り２８の開口部２８ａの中心が撮影光軸２６から偏芯し、それぞれの撮影でピントずれが発生するので、小瞳孔単眼撮影モードが選択された場合には、ピント補正レンズ４５を撮影光路に挿入しておく。
【００３９】
このようにして、一回のシャッタ操作で、視差のずれた２枚の眼底画像１００、１１０が連続して取得され、取得された眼底画像がメモリ６１及び／又はハードディスク６４などの記録手段に記録される。
【００４０】
以上の説明では、撮影絞り２８は、最初図４（ｂ）の位置に移動され、続いて図４（ｃ）の位置に移動されたが、その逆であってもよい。また、撮影絞り２８を移動させることにより、その開口部２８ａを異なる位置に移動させたが、図４（ａ）、（ｂ）、（ｃ）に示したような、撮影光軸２６に対して異なる位置にある複数の（３つの）撮影絞りを形成しておき、その異なる位置にある撮影絞りを選択するようにしてもよい。その意味で、図４に示したように、制御部６５により撮影絞り２８を移動させることは、異なる位置にある撮影絞りが選択されていることになり、制御部６５は、撮影絞りを切り替え、異なる位置にある撮影絞りを選択する選択手段となっている。
【００４１】
続いて、記録された眼底画像１００、１１０が制御演算部６０の画像処理部に読み込まれ、特許文献２で示したような公知技術を用いて画像処理が行われ、眼底画像１００の予め決められた左側領域でフレアＦ１を除く領域を切り取った画像１０１と、眼底画像１１０の予め決められた右側領域でフレアＦ２を除く領域を切り取った画像１１１が生成される。そして、これらの画像１０１と１１１は、両画像間に存在する同一被検眼部位、つまり同一眼底部位がほぼ重なり合うように、合成され、フレアのない眼底画像１２０が生成される。眼底画像１２０が重ね合わせた画像であることを示すために、所定のマーキングＭを施しておく。このフレアのない眼底画像１２０はモニタ６２に表示することができる。
【００４２】
図７、図８には、フレアＦ１、Ｆ２のある眼底画像１００、１１０をフレアのない眼底画像に合成する他の方法が示されている。まず、眼底画像１００、１１０を、符号１３０に示すように、重ね合わせて画像間の相関値を演算し、相関値が高くなるように、画像１００、１１０を相対的に移動させる。符号１３１は、この相関値が最大となって、同一眼底部位がほぼ重なり合うように、互いの画像位置が調整された状態を示す。このときの合成画像は、右側に示したように、左右にフレアＦ１、Ｆ２を含む眼底画像１３２となっている。眼底画像１３２が重ね合わせた画像であることを示すために、所定のマーキングＭを施しておく。
【００４３】
続いて、図８に示したように、メッシュ１３３に沿って眼底画像１３２を小さな画像領域に細分化して、眼底画像１３２を合成している眼底画像１００と１１０を細分化する。そして、細分化された画像１００、１１０の対応する小領域の各画像を比較して、いずれかの画像を抽出し、各抽出された小領域の画像を合成してフレアのない画像を再生する。
【００４４】
例えば、眼底画像１３２の細分化された一つの画像１３２ａは、眼底画像１００のフレアを含む細分化された画像１００ａと、眼底画像１１０のフレアを含まない細分化された画像１１０ａの重ね合わせ画像とする。画像にフレアを含むと、単色（白）成分が多くなるので、Ｒ、Ｇ、Ｂの各色成分のばらつきが少なくなる。そこで、画像処理部６０で画像１００ａでのＧ、Ｂの各色成分の分散と、画像１１０ａでのＧ、Ｂの各色成分の分散をそれぞれ演算し、分散の大きい画像を選択する。フレアを含まない画像１１０ａの方がフレアを含む画像１００ａより分散が大きいので、図８で示したように、画像１３２ａを合成している画像のうち、フレアを含まない画像１１０ａが抽出され、フレアを含む画像１００ａが廃棄される。
【００４５】
このような画像処理を、メッシュ１３３で細分化された各画像領域について行う。フレアＦ２を含む画像領域１３２ｂでは、該画像領域に対応している画像１００の画像部分が抽出され、フレアＦ１を含む画像領域１３２ｃでは、その画像領域に対応している画像１１０の画像部分が抽出される。一方、フレアを含まない部分の画像領域１３２ｄでは、その画像領域に対応している画像１００、１１０の画像部分ではその各色成分の分散は同じであるので、そのいずれかを抽出する。このように抽出された画像部分を画像１３２に残すことで、逆にいうと、抽出されなかった部分を画像１３２から除去することで、フレアのない眼底画像１３４を生成することができる。この眼底画像１３４には、周辺にメッシュによるモザイク形状が発生するが、フレアのない画像に仕上げることができる。
【実施例２】
【００４６】
上述した実施例では、撮影絞りを異なる位置に移動させて撮影された２枚の画像を合成してフレアのない眼底画像を得るようにしたが、照明絞りを異なる位置に移動させて同様な眼底画像を得ることができる。この実施例が図９〜図１２に図示されている。
【００４７】
図９は全体の構成を示すもので、図１の構成と比較して、照明絞り１４０がその位置を変えられること、撮影絞り１４５が固定式の絞りであること、ピント補正レンズが設けられていないことを除き、図１と同様な構成となっている。図１と同じ部分の説明は省略する。
【００４８】
照明絞り１４０は、図１０（ａ）に示すように、縦方向の径ｄ２が横方向の径ｄ１より大きな中心に配置された縦長楕円形の内部遮光部１４０ａと、透明なガラス板のリングスリット部１４０ｂと、その周辺の外部遮光部１４０ｃとからなるリング照明絞りである。照明絞り１４０は、一端がソレノイド１４１の軸１４１ａに固定されており、被検眼前眼部（瞳）とほぼ共役な位置に配置される。照明絞り１４０は、ソレノイド１４１が作動されないときは、図１０（ａ）に示す位置にあって、遮光部１４０ａの中心は照明光学系の光軸７０と一致している。眼底観察、あるいは単眼撮影のときは、照明絞り１４０は、図１０（ａ）の位置にある。
【００４９】
ソレノイド１４１が作動されて軸１４１ａが押し出されると、照明絞り１４０は、ガイド１４２、１４３に沿って案内され、図１０（ｂ）の位置に移動し、軸１４１ａが引き込まれると、図１０（ｃ）の位置に移動して、遮光部１４０ａの中心は照明光軸７０からそれぞれ右あるいは左側に変位する。小瞳孔単眼撮影モードのときは、一回目の撮影のときは、照明絞り１４０は、図１０（ｂ）に示した位置に、２回目の撮影のときは、図１０（ｃ）に示した位置に移動される。
【００５０】
撮影絞り１４５は、図１１に示したように、中心部に円形の開口部１４５ａを有する開口絞りで、被検眼前眼部（瞳）とほぼ共役な位置に配置される。撮影絞り１４５は、眼底観察モード、単眼撮影モード、小瞳孔単眼撮影モードのいずれのモードでも、開口部１４５ａの中心は撮影光軸２６と一致している。撮影絞り１４５は固定しているので、撮影モードによる撮影光軸２６からの偏芯がないため、図１に示したようなピント補正レンズ４５は設けられていない。
【００５１】
このような構成で、単眼撮影モードが選択された場合は、照明絞り１４０は図１０（ａ）の位置にあり、黒点板７１が照明光軸７０に挿入される。アライメント、フォーカス調整後、シャッタスイッチ６６が操作されてストロボ１５は発光し、眼底がＣＣＤ４１により撮影される。撮影された眼底画像の記録は、図１に示した実施例と同様に行われる。
【００５２】
一方、小瞳孔単眼撮影モードが選択されたときは、黒点板７２が光路に挿入され、図１０（ａ）で示された照明絞り１４０の位置でアライメントとフォーカス操作が行われる。
【００５３】
アライメント、フォーカス調整が終了すると、シャッタスイッチ６６が操作され、それに連動して照明絞り１４０が、図１０（ｂ）に示した位置に移動する。その結果、図１２の左側に示したように、被検眼の瞳Ｅｐに形成された照明絞り１４０の遮光部１４０ａの共役像１４０ａ’とリングスリット部１４０ｂの共役像１４０ｂ’は右側に移動し、撮影絞り１４５の開口部１４５ａの共役像１４５ａ’はそのままであるので、左側に照明光が多く入るようになる。このとき、照明絞り１４０の移動量と、遮光部１４０ａの短径ｄ１と長径ｄ２は、二重矢印線で示したように、左右方向並びに上下方向にデットゾーンが形成され、眼底の左側にフレアが入らないような値に設定される。
【００５４】
シャッタスイッチ６６が操作されると、ストロボ１５が発光するので、上記設定で照明された眼底が、ＣＣＤ４１により撮像され、一回目の撮影が行われる。撮影された眼底画像は、図６の左側の上から２番目に図示したようなフレアＦ１の混入した眼底画像１００と同様な画像となり、その画像を取得したときの照明絞り１４０の内部遮光部１４０ａの位置などの撮影条件情報と関連させてメモリ６１及び／又はハードディスク６４に記録される。
【００５５】
続いて、照明絞り１４０が図１０（ｃ）に示した位置に移動して、ストロボ１５が発光し、２回目の眼底撮影が行われる。２回目の撮影のときは、照明絞り１４０は、図１０（ｃ）に示した位置に移動するので、図１２の右側に示したように、照明絞り１４０の遮光部１４０ａの共役像１４０ａ’とリングスリット部１４０ｂの共役像１４０ｂ’はそれぞれ左側に移動し、右側に照明光が多く入るようになる。照明絞り１４０の移動量と、その遮光部１４０ａの大きさは、二重矢印線で示したように、上下、左右方向にデッドゾーンが形成され、眼底の右側にフレアが入らないような値に設定されるので、図６の右側の上から２番目に図示したフレアＦ２のある眼底画像１１０と同様な画像が、ＣＣＤ４１により取得される。撮影された眼底画像は、その画像を取得したときの照明絞り１４０の内部遮光部１４０ａの位置などの撮影条件情報と関連させてメモリ６１及び／又はハードディスク６４に記録される。
【００５６】
このようにして、一回のシャッタ操作で、２枚の眼底画像が連続して取得され、取得したときのリング照明絞り１４０の内部遮光部１４０ａの位置と関連付けて記録される。記録された２枚の眼底画像は、それぞれ画像処理部６０に読み出されて、各画像間に存在する同一被検眼部位がほぼ重なり合うように、画像処理される。画像の重ね合わせを行った被検眼画像には、所定のマーキングＭを施しておく。
【００５７】
画像処理は、公知の技術を用いて、図６において眼底画像１００と１１０に対して施されたのと同じ画像処理が施される。すなわち、リング照明絞りの内部遮光部の位置に応じて撮影画像内の一部の領域（フレアのない領域）を予め設定しておき、該設定された領域内の画像を切り出して、切り出された各画像に存在する同一被検眼部位がほぼ重なり合うようにして行われる。これにより、フレアＦ１、Ｆ２が除去された眼底画像１２０と同様な画像が生成され、その生成された画像がモニタ６２に表示される。
【００５８】
実施例２において行われる２枚の眼底画像に対する画像処理は、図７、図８において眼底画像１００と１１０に対して施されたのと同じ画像処理を施して、フレアＦ１、Ｆ２が除去された眼底画像１３４と同様な画像を生成してもよい。すなわち、図７、図８に示したように、重なり合うように画像処理された被検眼画像を細分化し、細分化された各画像に対して重なり合っている画像のうち、色成分のばらつきが大きい画像を抽出して被検眼画像を生成する。このようにして生成された眼底画像は、モニタ６２に表示される。
【００５９】
実施例２では、撮影絞り１４５の絞り中心が、撮影光学系の中心と一致しているので、歪が発生しにくく、画質のよい眼底像が得られ、また撮影絞りの撮影光軸からのずれがないので、ピント補正レンズなどの光路長補正素子が不要となる、という利点が得られる。
【実施例３】
【００６０】
上記実施例１、２において、更にステレオ撮影を組み込んだ実施例が、図１３以降に図示されている。ステレオ撮影は、同一被検眼に対し視差を持った立体視用の左右の画像を撮影するもので、緑内障など眼底の立体形状を把握するときに、重要になる。
【００６１】
図１３において、ステレオ撮影を可能にするために、撮影絞り１５０、照明絞り１６０、黒点板１７０、１７１が設けられる。また、ステレオ撮影された画像を表示するために、ステレオモニタ６３が設けられ、撮影モード選択スイッチによりステレオ撮影モード（第３の撮影モード）が選択できるようになっている。その他、図１、図９と同じ部分には、同じ参照番号が付されており、その説明は省略する。
【００６２】
撮影絞り１５０は、被検眼の前眼部Ｅｐ（瞳）とほぼ共役な位置に配置され、図１４に分解して示されたように、中央と左右に円形の開口部１５１ａ、１５１ｂ、１５１ｃが形成された固定絞り板１５１と、この固定絞り板１５１上をステッピングモータ（不図示）により上下方向に移動可能な移動絞り板１５２と、固定絞り１５１上をソレノイド１５５、１５６より左右方向に移動可能な遮光板１５３、１５４とから構成され、固定絞り板１５１の上に移動絞り板１５２が、その上に遮光板１５３、１５４が重なるように配置される。
【００６３】
移動絞り板１５２には、上方位置Ｐ１に開口部１５２ａ〜１５２ｃが、中央位置Ｐ２に開口部１５２ｄ、１５２ｅが、下方位置Ｐ３に開口部１５２ｆ、１５２ｇが、それぞれ横方向に整列して形成される。移動絞り板１５２の各開口部１５２ａ〜１５２ｃは、移動絞り板１５２の位置Ｐ１が固定絞り板の縦方向の中心位置Ｐに一致する位置に移動したとき、図１５に示したように、開口部１５２ａが固定絞り板１５１の開口部１５１ａ内に同心に位置し、開口部１５２ｂが開口部１５１ｂ内の左側に、開口部１５２ｃが開口部１５１ｃ内の右側に位置するように、その位置及び大きさが設定される。遮光板１５３、１５４は、それぞれの開口部１５２ａ〜１５２ｃを開放するように、退却した位置にある。
【００６４】
図１５は、眼底観察並びに単眼撮影モードが選択されたときの状態を示す。移動絞り板１５２の開口部１５２ａは、図４（ａ）の撮影絞り２８の開口部２８ａと同じ大きさ、同じ位置となっており、その中心は撮影光軸２６と一致している。移動絞り板１５２の開口部１５２ａは、眼底観察並びに単眼撮影モードのときの撮影絞りとして選択され、観察光をＣＣＤ４０に、撮影光をＣＣＤ４１に導く。開口部１５２ｂ、１５２ｃはそれぞれフォーカス指標を眼底に導くために用いられる。
【００６５】
移動絞り板１５２の開口部１５２ｄと１５２ｅは、移動絞り板１５２の位置Ｐ２が固定絞り板１５１の中心位置Ｐに一致する位置に移動したとき、図１６（ａ）、（ｂ）に示したように、開口部１５２ｄと１５２ｅが固定絞り板１５１の開口１５１ａに内包されるように、その位置及び大きさが設定される。図１６（ａ）に示した位置では、遮光板１５３は開口部１５２ｄを開放し、遮光板１５４は開口１５２ｅを閉じ、図１６（ｂ）に示した位置では、遮光板１５３は開口１５２ｄを閉じ、遮光板１５４は開口１５２ｅを開放する。
【００６６】
移動絞り板１５２の開口部１５２ｄは、図４（ｂ）の撮影絞り２８の開口部２８ａと同じ大きさ、同じ位置となっており、撮影光軸２６の左側に位置し、移動絞り板１５２の開口部１５２ｅは、図４（ｃ）の撮影絞り２８の開口部２８ａと同じ大きさ、同じ位置となっており、撮影光軸２６の右側に位置する。各開口部１５２ｄ、１５２ｅは、小瞳孔単眼撮影モードのときの撮影絞りとして選択される。
【００６７】
移動絞り板１５２の開口部１５２ｆと１５２ｇは、移動絞り板１５２の位置Ｐ３が固定絞り板１５１の中心位置Ｐに一致する位置に移動したとき、図１７（ａ）、（ｂ）に示したように、開口部１５２ｆが固定絞り板１５１の開口部１５１ｂ内の右側に、開口部１５２ｇが開口部１５１ｃ内の左側に位置するように、その位置及び大きさが設定される。図１７（ａ）に示した位置では、遮光板１５３は開口部１５２ｆを開放し、遮光板１５４は開口部１５２ｇを閉じ、図１７（ｂ）に示した位置では、遮光板１５３は開口１５２ｆを閉じ、遮光板１５４は開口１５２ｇを開放する。
【００６８】
図１７（ａ）、（ｂ）は、ステレオ撮影モードが選択されたときの状態であり、移動絞り板１５２の開口部１５２ｆ、１５２ｇは立体視用に撮影光路を左右に分ける撮影絞りとして選択される。
【００６９】
照明絞り１６０は、被検眼の前眼部Ｅｐ（瞳）とほぼ共役な位置に配置され、図１８〜図２０に示したように、中心に円形の開口部１６１ａが形成された固定絞り１６１と、それぞれ円形の遮光部１６２ａ〜１６２ｆが形成された透明なガラス板からなる移動遮光板１６２から構成される。
【００７０】
移動遮光板１６２が、図１８（ａ）に示した位置に移動すると、その遮光部１６２ｃが固定絞り１６１の開口部１６１ａ内に同心に照明光軸７０と一致して配置されるようになり、図２（ａ）の照明絞り２０と同様な観察、単眼撮影用の照明絞りが形成される。一方、図１８（ｂ）に示した位置に移動すると、その遮光部１６２ｄが固定絞り１６１の開口部１６１ａ内に同心に照明光軸７０と一致して配置されるようになる。遮光部１６２ｄの径は、遮光部１６２ｃの径より小さく、図２（ｂ）の照明絞り２１と同様な小瞳孔単眼撮影用の照明絞りが形成される。
【００７１】
移動遮光板１６２が、図１９（ａ）に示した位置に移動すると、その遮光部１６２ｂが固定絞り１６１の開口部１６１ａ内で照明光軸７０より左側に、また図１９（ｂ）に示した位置に移動すると、その遮光部１６２ａが固定絞り１６１の開口部１６１ａ内で照明光軸７０より右側に配置されるようになり、それぞれステレオ撮影モードのときの照明絞りが形成される。
【００７２】
移動遮光板１６２が、図２０（ａ）に示した位置に移動すると、その遮光部１６２ｆが固定絞り１６１の開口部１６１ａ内で照明光軸７０より少し右側に、また図２０（ｂ）に示した位置に移動すると、その遮光部１６２ｅが固定絞り１６１の開口部１６１ａ内で照明光軸７０より少し左側に配置されるようになり、図１０（ｂ）、（ｃ）に示したような照明絞りが形成される。
【００７３】
黒点板は、眼底観察、単眼撮影、ステレオ撮影のときは、図２１に示したような、中心に黒点１７０ａを中央に有する透明なガラス板から成る黒点板１７０が用いられる。黒点板１７０は、眼底観察、単眼撮影のときは、図２１の左側に図示したように、黒点１７０ａが照明光軸７０に一致する位置に、またステレオ撮影のときは、図２１の中央並びに右側に示したように、黒点１７０ａが照明光軸７０より左右にずれる位置に移動される。黒点板１７０は、図３（ａ）に示した黒点板７１に対応している。
【００７４】
小瞳孔単眼撮影のときは、黒点板１７０に代わり、図２２に示したような横長の黒点１７１ａを中央に有する黒点板１７１が用いられる。黒点板１７１は、図３（ｂ）に示した黒点板７２に対応している。
【００７５】
ステレオ撮影のときも、撮影絞りの開口部１５２ｆ、１５２ｇが撮影光軸２６から偏芯してピントずれが発生するので、それを補正するためのピント補正レンズ４５’が挿脱可能に配置される。
【００７６】
このように構成された眼底カメラで、単眼撮影モードが選択されると、図１８（ａ）に示すように遮光部１６２ｃの中心が照明光軸７０に一致するリング状の照明絞りに切り替えられる。黒点板１７０は、図２１の左側に示すように、黒点１７０ａが照明光軸７０と一致する位置にある。また、撮影絞りは、図１５に示したように開口部１５２ａが選択された撮影絞りとなる。このとき、開口部１５２ｂ、１５２ｃは、フォーカス指標を導く開口として用いられる。ピント補正レンズ４５、４５’は光路から離脱される。
【００７７】
この単眼撮影モードにおける眼底観察、眼底撮影、取得された眼底画像の記録、その表示は、実施例１、２で説明したのと同様に行われる。
【００７８】
小瞳孔単眼撮影モードが選択されると、図１８（ｂ）に示す照明絞りに切り替えられ、黒点板１７１が光路に挿入され、図１６（ａ）あるいは（ｂ）に示したように開口部１５２ｄあるいは１５２ｅが選択される撮影絞りに切り替えられる。そして、実施例１で説明したのと同様に、１回のシャッタ操作で、それぞれ開口部１５２ｄ、１５２ｅを介して２枚の眼底画像が取得される。このとき、ピント補正レンズ４５が光路に挿入されるので、各撮影された眼底画像では、開口部１５２ｄ、１５２ｅが撮影光軸からずれることによるピントずれが補償されており、鮮明な眼底画像が得られる。
【００７９】
この小瞳孔単眼撮影モードにおいて、取得された２枚の眼底画像は、実施例１と同様に、図６、あるいは図７と図８で説明した画像処理が施され、フレアのない画像が生成され、それがモニタ６２に表示される。
【００８０】
なお、実施例２のように、撮影絞りを固定して、照明絞りを切り替えて小瞳孔単眼撮影を行う場合には、撮影絞りを図１５に示した状態で固定しておき、１回目の撮影のときは、照明絞り１６０を図２０（ａ）の状態に、２回目の撮影のときは、図２０（ｂ）に示した状態に切り替えて撮影を行う。
【００８１】
ステレオ撮影モードが選択される場合、開口部１５２ａを選択して撮影絞りとし（図１５）、遮光部１６２ｃを選択して照明絞りとし（図１８（ａ））、黒点板１７０を照明光路に挿入して、単眼撮影のときと同様にして、アライメント並びにフォーカス調整が行われる。
【００８２】
アライメントとピント合わせが終了すると、シャッタスイッチ６６が操作され、それに連動して開口部１５２ｆが選択される撮影絞りに切り替えられ（図１７（ａ））、照明絞りは、図１９（ａ）に示したように、遮光部１６２ｂが選択される照明絞りに切り替えられ、黒点板１７０は、図２１の中央に示した位置に移動される。
【００８３】
シャッタスイッチ６６が操作されると、それに連動してリターンミラー３９が光路から離脱され、ストロボ１５が発光するので、立体視用の左眼底画像がＣＣＤ４１により取得される。この眼底画像は、その画像を取得したときの撮影絞りの位置などの撮影条件情報と関連させてメモリ６１及び／又はハードディスク６４に記録される。
【００８４】
続いて、開口部１５２ｇが選択される撮影絞りに切り替えられ（図１７（ｂ））、照明絞りは、図１９（ｂ）に示したように、遮光部１６２ａが選択される照明絞りに切り替えられ、黒点板１７０は、図２１の右側に示した位置に移動される。そして、ストロボ１５が再び発光するので、立体視用の右眼底画像がＣＣＤ４１により取得される。この眼底画像は、その画像を取得したときの撮影絞りの位置などの撮影条件情報と関連させてメモリ６１及び／又はハードディスク６４に記録される。
【００８５】
なお、ステレオ撮影では、開口部１５２ｆ、１５２ｇが選択され、各開口部の中心が撮影光軸から偏芯し、それぞれの撮影でピントずれが発生するので、それを補正するために、ピント補正レンズ４５’を撮影光路に挿入しておく。ステレオ撮影の場合には、開口部１５２ｆ、１５２ｇの撮影光軸からの隔たりが、小瞳孔単眼撮影の場合より大きいので、ピント補正量が小瞳孔単眼撮影のときより大きいレンズを用いるようにする。
【００８６】
このようにステレオ撮影では、１回のシャッタ操作で、撮影絞りの開口部１５２ｆを介して、続いて他方の開口部１５２ｇを介して２枚の眼底画像が取得され、その取得された２枚の眼底画像は、ステレオモニタ６３に撮影絞りの位置に応じて左右に並べて表示される。
【００８７】
なお、移動絞り板１５２の開口部１５２ｄと１５２ｅ間の間隔、開口部１５２ｆと１５２ｇ間の間隔を、被検眼の瞳孔径に応じて調節するようにすることができる。
【００８８】
図２３は、実施例１、２、３で説明した各撮影モードにおける各光学素子の諸元、動作を比較した表で、通常撮影は、通常瞳孔径の単眼撮影を意味し、照明絞りの外径の単位はｍｍである。
【００８９】
なお、実施例１、２、３において、以下のような改変を行うことができる。
【００９０】
ピント補正レンズ４５、４５’は、それに代えて撮影光学系の光路長を補正する光路長補正素子としてもよい。
【００９１】
取得された眼底画像をメモリ６１と、それより低速なハードディスク６４に記録する場合、単眼撮影モードかどうかに応じてメモリ６１からハードディスク６４への画像の転送タイミングを異なるようにすることができる。
【００９２】
撮影モードに応じて撮影絞り、照明絞り、黒点板の切り替えが行われる場合、シャッタスイッチが操作されたら、撮影絞りを切り替え、それに連動して、照明絞りと黒点板を切り替えるようにする。
【００９３】
シャッタスイッチ操作前の撮影絞りの位置を、撮影モードと、観察時に使用している内部固視灯の位置によって決めるようにすることができる。また、撮影する被検眼が右眼か左眼かを検知する検知手段を設け、シャッタスイッチ操作前の撮影絞りの位置を、撮影モードと、観察時に使用している内部固視灯の位置と、左右眼検知手段による検知結果とによって決めるようにすることができる。また、シャッタスイッチ操作直後の撮影絞りの位置を、アライメント観察時における撮影絞りの位置とすることもできる。
【００９４】
フォーカス指標を被検眼に導く光学素子（プリズム３２）を、小瞳孔単眼撮影、ステレオ撮影の時は、光路から離脱されるようにし、撮影絞りの切り替えと連動して光路に挿脱させることができる。
【図面の簡単な説明】
【００９５】
【図１】本発明の第１実施例による眼科撮影装置の全体の構成を示した構成図である。
【図２】（ａ）は通常瞳孔径の被検眼を撮影するときに用いられる照明絞りの構成を示す正面図、（ｂ）は小瞳孔径の被検眼を撮影するときに用いられる照明絞りの構成を示す正面図である。
【図３】（ａ）は通常瞳孔径の被検眼を撮影するときに用いられる黒点板の構成を示す正面図、（ｂ）は小瞳孔径の被検眼を撮影するときに用いられる黒点板の構成を示す正面図である。
【図４】撮影絞りが移動する状態を示す説明図である。
【図５】眼底画像におけるフレアの発生を説明する説明図である。
【図６】撮影絞りの位置を変えて撮影した２枚の眼底画像からフレアのない眼底画像を生成する画像処理の流れを示す説明図である。
【図７】撮影絞りの位置を変えて撮影した２枚の眼底画像からフレアのない眼底画像を生成する他の画像処理の流れを示す説明図である。
【図８】図７に続く画像処理の流れを示す説明図である。
【図９】本発明の第２実施例による眼科撮影装置の全体の構成を示した構成図である。
【図１０】照明絞りが移動する状態を示す説明図である。
【図１１】撮影絞りの正面図である。
【図１２】照明絞りの移動による照明光の移動を示す説明図である。
【図１３】本発明の第３実施例による眼科撮影装置の全体の構成を示した構成図である。
【図１４】撮影絞りを分解して示した分解図である。
【図１５】眼底観察、単眼撮影モードのときに使用される撮影絞りを示した正面図である。
【図１６】小瞳孔単眼撮影モードのときに使用される撮影絞りを示した正面図である。
【図１７】ステレオ撮影モードのときに使用される撮影絞りを示した正面図である。
【図１８】単眼撮影並びに小瞳孔撮影のときに使用される照明絞りを示した正面図である。
【図１９】ステレオ撮影のときに使用される照明絞りを示した正面図である。
【図２０】照明絞りを切り替えて小瞳孔撮影を行うときに使用される照明絞りを示した正面図である。
【図２１】単眼撮影及びステレオ撮影時に使用される黒点板の黒点の切り替えを示した説明図である。
【図２２】小瞳孔撮影時に使用される黒点板を示した説明図である。
【図２３】種々の撮影モードにおける動作を比較した表図である。
【符号の説明】
【００９６】
１０  眼底カメラ
１５  ストロボ
２０、２１  照明絞り
２３  穴あき全反射ミラー
２４  対物レンズ
２６  撮影光軸
２７  ソレノイド
２８  撮影絞り
４０、４１  ＣＣＤ（撮像手段）
４５、４５’  ピント補正レンズ
５０  フォーカス指標用光源
５５  内部固視灯
６０  制御演算部（画像処理部）
６２  モニタ
６３  ステレオモニタ
６５  制御部
６６  シャッタスイッチ
６９  操作部
７０  照明光軸
７１、７２  黒点板
１４０  照明絞り
１４１  ソレノイド
１４５  撮影絞り
１５０  撮影絞り
１５１  固定絞り板
１５２  移動絞り板
１５３、１５４  遮光板
１５５、１５６  ソレノイド
１６０  照明絞り
１６１  固定絞り
１６２  移動遮光板
１７０、１７１  黒点板
【図１】
2009285108.tif 000003
【図２】
2009285108.tif 000004
【図３】
2009285108.tif 000005
【図４】
2009285108.tif 000006
【図５】
2009285108.tif 000007
【図６】
2009285108.tif 000008
【図７】
2009285108.tif 000009
【図８】
2009285108.tif 000010
【図９】
2009285108.tif 000011
【図１０】
2009285108.tif 000012
【図１１】
2009285108.tif 000013
【図１２】
2009285108.tif 000014
【図１３】
2009285108.tif 000015
【図１４】
2009285108.tif 000016
【図１５】
2009285108.tif 000017
【図１６】
2009285108.tif 000018
【図１７】
2009285108.tif 000019
【図１８】
2009285108.tif 000020
【図１９】
2009285108.tif 000021
【図２０】
2009285108.tif 000022
【図２１】
2009285108.tif 000023
【図２２】
2009285108.tif 000024
【図２３】
2009285108.tif 000025